(57)【特許請求の範囲】
【請求項１】
背もたれ部と、座クッション部とを具備し、使用者が座クッション部に着座するとともに背もたれ部にもたれ掛かって用いる椅子型ストレッチ機であって、背もたれ部にもたれかかった使用者の所定部位を吊り上げてストレッチするストレッチ手段として、可撓性の人体支持部材と、背もたれ部の中心軸から隙間を隔てた少なくとも左右一方の箇所に設置される突出自在なアクチュエータとを、人体支持部材と背もたれ部の間に位置するアクチュエータが突出して人体支持部材に張力を付与するように配置するとともに、これら人体支持部材とアクチュエータを、背もたれ部とは別体のストレッチ用ユニットとして備え、背もたれ部の中央部には、正面側に突出自在な施療子と、施療子を突出させるための開口部と、開口部を覆う可撓性の施療子カバーとを備えており、上記施療子は、上記ストレッチ手段とは別のマッサージ手段をなし、背もたれ部内に配された施療ブロックから正面側に突設したアームの先端に支持されるものであり、上記人体支持部材が施療子カバーともなるように設け、背もたれ部から正面側に突出する突起体を該背もたれ部の左右両端部の一方に設け、該突起体の先端部に上記人体支持部材の端部を固定するとともに、上記アクチュエータを、背もたれ部において該突起体を設けた側とは逆側にのみ配置することを特徴とする椅子型ストレッチ機。
【請求項２】
上記アクチュエータが、正面側に向けて膨縮自在なエアバッグから成ることを特徴とする請求項１に記載の椅子型ストレッチ機。
【発明の詳細な説明】
【技術分野】
【０００１】
本発明は、背もたれ部と座クッション部とを具備する椅子型ストレッチ機に関する。
【背景技術】
【０００２】
従来から、座クッション部に着座し、背もたれ部に背中をもたれ掛けた状態で、ストレッチを行うことのできる椅子型ストレッチ機が知られている。例えば特許文献１には、背もたれ部前面や座クッション部上面に複数のエアバッグを配設しておき、各エアバッグが膨縮することで使用者を押し込んでストレッチを施すものが記載されている。
【０００３】
しかし、上記した従来の椅子型ストレッチ機においては、各エアバッグ自体が使用者を支持しながら押し込む構造になっているため、使用者の体型や姿勢によってはエアバッグが狙いの部位に当たらないことがあり、所望のストレッチ効果が得られ難いという問題があった。
【０００４】
上記問題を解決するには、使用者がどのような体型や姿勢であっても確実にエアバッグが当たるように、大型のエアバッグを配置するといった手段や、多数のエアバッグを配置するといった手段が考えられる。ところが、この手段によれば、構造が複雑になって椅子全体の大型化及び高コスト化を招くという問題がある。また、この椅子型ストレッチ機に他のマッサージ手段を付加しようとする場合には、エアバッグが略全面に配されることになるために該マッサージ手段を配置するスペースが十分にとれなくなり、椅子型マッサージ機としても有効に活用することが困難になるという問題がある。
【特許文献１】特開２００２−１１９５５８号公報
【発明の開示】
【発明が解決しようとする課題】
【０００５】
本発明は上記問題点に鑑みて発明したものであって、使用者の体型や姿勢に影響されることなく確実に身体を吊り上げてストレッチを施すことができ、しかも、椅子全体としてはコンパクト化及び低コスト化を図ることができ、更に、他のマッサージ手段を配置するスペースを確保することも容易な椅子型ストレッチ機を提供することを課題とするものである。
【課題を解決するための手段】
【０００６】
上記課題を解決するための本発明は、背もたれ部１と、座クッション部２とを具備し、使用者Ｐが座クッション部２に着座するとともに背もたれ部１にもたれ掛かって用いる椅子型ストレッチ機であって、背もたれ部１にもたれかかった使用者Ｐの所定部位を吊り上げてストレッチするストレッチ手段として、可撓性の人体支持部材８と、背もたれ部１の中心軸Ｃ１から隙間を隔てた少なくとも左右一方の箇所に設置される突出自在なアクチュエータ１１とを、人体支持部材８と背もたれ部１の間に位置するアクチュエータ１１が突出して人体支持部材８に張力を付与するように配置するとともに、これら人体支持部材８とアクチュエータ１１を、背もたれ部１とは別体のストレッチ用ユニット１５として備え、背もたれ部１の中央部には、正面側に突出自在な施療子３と、施療子３を突出させるための開口部６と、開口部６を覆う可撓性の施療子カバー７とを備えており、上記施療子３は、上記ストレッチ手段１５とは別のマッサージ手段をなし、背もたれ部１内に配された施療ブロック５から正面側に突設したアーム４の先端に支持されるものであり、上記人体支持部材８が施療子カバー７ともなるように設け、背もたれ部１から正面側に突出する突起体２５を該背もたれ部１の左右両端部の一方に設け、該突起体２５の先端部に上記人体支持部材８の端部を固定するとともに、上記アクチュエータ１１を、背もたれ部１において該突起体２５を設けた側とは逆側にのみ配置することを特徴としている。
【０００７】
これによれば、使用者Ｐの肩、背中、腰等の所定部位を人体支持部材８によってハンモック状に吊り上げることができ、したがって、使用者Ｐの体型や姿勢に影響されることなく確実に身体を吊り上げてストレッチを施すことが可能となる。しかも、このように人体支持部材８を吊り上げるためのアクチュエータ１１は少なくとも左右一方の箇所に設置すればよいので、椅子全体としてはコンパクト化及び低コスト化を図ることができる。加えて、背もたれ部１に他のマッサージ手段（開口部６から突出される施療子３等）を配置するスペースを確保することも容易であり、椅子型マッサージ機としても有効に利用可能なものとなる。
【０００８】
また、上記構成の椅子型ストレッチ機にあっては、人体支持部材８とアクチュエータ１１を、背もたれ部１とは別体のストレッチ用ユニット１５として備えているので、ストレッチ動作の要、不要に応じて別体のストレッチ用ユニット１５を取り外すことができる。また、このストレッチ用ユニット１５の上下位置を変更すれば、使用者Ｐの体型に合わせてストレッチを施すことも容易である。更に、上記構成の椅子型ストレッチ機にあっては、背もたれ部１の中央部には、正面側に突出自在な施療子３と、施療子３を突出させるための開口部６と、開口部６を覆う可撓性の施療子カバー７とを備えているので、上記椅子型ストレッチ機を、施療子３から成るマッサージ手段を背もたれ部１に有する椅子型マッサージ機としても有効に活用することができる。しかも、アクチュエータ１１を駆動せずに人体支持部材８をたるませているときには、該人体支持部材８を介して施療子３を正面側に突出させることができ、施療子３によるマッサージを効果的に行うことができる。
【００１４】
また、上記構成の椅子型ストレッチ機にあっては、背もたれ部１から正面側に突出する突起体２５を該背もたれ部１の左右両端部の一方に設け、該突起体２５の先端部に人体支持部材８の端部を固定するとともに、上記アクチュエータ１１を、背もたれ部１において該突起体２５を設けた側とは逆側にのみ配置しているので、アクチュエータ１１を左右両方に設ける必要がなくなり、更に低コスト化を図ることができる。
【００１５】
また、上記構成の椅子型ストレッチ機にあっては、上記アクチュエータ１１が、正面側に向けて膨縮自在なエアバッグ１０から成ることも好適である。このようにすることで、人体支持部材８に吊り上げられる使用者Ｐに対して柔らかい当たり感を与えることができる。また、エアバッグ１０は駆動時以外には非常にコンパクトに収まるので、特に背もたれ部１にマッサージ手段を設けている場合には、アクチュエータ１１や人体支持部材８から成るストレッチ手段が邪魔になってマッサージ効果を減じさせることが防止される。
【発明の効果】
【００１８】
請求項１に係る発明は、使用者の体型や姿勢に影響されることなく確実に身体を吊り上げてストレッチを施すことが可能であり、しかも椅子全体としてはコンパクト化及び低コスト化を図ることができる。加えて、背もたれ部に他のマッサージ手段を配置するスペースを確保することも容易であり、椅子型マッサージ機としても有効に利用可能なものになるという効果を奏する。また、ストレッチ動作の要、不要に応じてストレッチ用ユニットを取り外すことができ、また、このストレッチ用ユニットの上下位置を変更すれば、使用者の体型に合わせてストレッチを施すことが容易なものになるという効果や、この椅子型ストレッチ機を施療子によるマッサージを効果的に行うことのできる椅子型マッサージ機としても活用することができるという効果や、更なる低コスト化を図ることができるという効果を奏する。
【００２７】
また請求項２に係る発明は、請求項１に係る発明の効果に加えて、使用者に柔らかい当たり感を与えることができ、また、特に背もたれ部にマッサージ手段を設けている場合にストレッチ手段が邪魔になってマッサージ効果を減じさせることが防止されるという効果を奏する。
【発明を実施するための最良の形態】
【００２９】
以下、本発明を添付図面に示す実施形態に基づいて説明する。説明文中に用いる前後左右等の方向は、着座状態の使用者Ｐを基準とする。
【００３０】
図１には、本発明の実施形態における一例の椅子型ストレッチ機の全体を示している。本例の椅子型ストレッチ機は、背もたれ部１と、座クッション部２とを具備し、使用者Ｐが座クッション部２の上面２ａに着座するとともに背もたれ部１の前面１ａ側にもたれ掛かって用いる椅子型ストレッチ機であって、内蔵してある駆動機構５０（図２、図３参照）を介して、背もたれ部１が座クッション部２に対して後方に起倒自在に連結されている。本例の椅子型ストレッチ機は、背もたれ部１に後述のマッサージ手段を具備した椅子型マッサージ機となっているが、マッサージ手段を具備することなく後述のストレッチ手段のみを備えた構成であってもよいことは勿論である。
【００３１】
背もたれ部１に備えるマッサージ手段としては、図１（ｂ）、図２、図３等に示すように、施療子３を先端に有する左右一対のアーム４を正面側に突設してある箱型の施療ブロック５を背もたれ部１内に配している。背もたれ部１内には、上下方向に伸びるレール５１が左右一対配してあり、施療ブロック５はこのレール５１に沿って背もたれ部１内を上下方向に駆動されるようになっている。
【００３２】
ここでの上下方向とは、背もたれ部１を起立状態に保持したときの上下方向である。換言すれば、施療ブロック５が座クッション部２に接近してゆく方向が下方向であり、施療ブロック５が座クッション部２から離間してゆく方向が上方向である。
【００３３】
硬質の成形品から成る背もたれ部１の前面１ａの中央には、上下方向を長手方向として形成される正面視矩形状の開口部６が設けてあり、この開口部６を通じて、施療ブロック５の各施療子３を正面側に突出させている。開口部６には、該開口部６の全面を覆い且つたるみを有する施療子カバー７を設けて、内部の施療ブロック５を隠している。この施療子カバー７を介して施療子３が使用者Ｐの背面側に当たり、揉み、叩き、摩り等の各種マッサージを施すものでる。なお、図１（ｂ）においては、施療子カバー７及び後述のストレッチ手段を外してある。
【００３４】
次に、本例のストレッチ手段について説明する。本例のストレッチ手段は、背もたれ部１と座クッション部２の両方に備えてある。背もたれ部１側と座クッション部２側のストレッチ手段はいずれも、可撓性の人体支持部材８によって使用者Ｐの身体の一部をハンモックのように吊り上げることで、伸び、捻りの各種ストレッチを施すものである。
【００３５】
まず、背もたれ部１のストレッチ手段について詳述し、次いで、座クッション部２のストレッチ手段について詳述する。
【００３６】
背もたれ部１のストレッチ手段は、図１（ａ）、図５等に概略的に示すようなもので、人体支持部材８を成す可撓性シート９と、背もたれ部１の前面１ａの上下に伸びる中心軸Ｃ１から左右方向に隙間を隔てた各箇所に設置される膨縮自在な蛇腹状のエアバッグ１０とを用いて形成されている。
【００３７】
布地や成形品から成る可撓性シート９は、施療子カバー７で覆ってある中央の開口部６を左右に跨ぐようにして背もたれ部１の前面１ａ側に固定されるものであって、その左右両端を、背もたれ部１の側部に縫合して固着させている。エアバッグ１０は、背もたれ部１の前面１ａの開口部６を挟む左右両側部分において、各可撓性シート９と背もたれ部１との間に介在するように配置している。エアバッグ１０の底面は背もたれ部１の前面１ａにスナップピン等で固定され、該エアバッグ１０の先端面は可撓性シート９の裏面に面ファスナ（図示せず）で固定されている。このエアバッグ１０は、給気により膨張すると、正面側の方向に向けてその先端面を突出させるとともに、膨張後の排気により収縮すると、背面側の方向に向けてその先端面を後退させるものである。
【００３８】
つまり上記エアバッグ１０は、膨張して先端面を正面側に突出することにより、該エアバッグ１０の先端面と対向して位置する可撓性シート９を正面側に押し込みながら、この可撓性シート９に左右方向の張力を付与するアクチュエータ１１を成すものである。ここで左右方向の張力を付与されてピンと張る状態となった可撓性シート９によって、使用者Ｐの身体の上半身の一部をハンモック状に吊り上げて正面側に押し込んでゆく仕組みである。
【００３９】
可撓性シート９によって使用者Ｐを正面側に吊り上げる量は、左右両側のエアバッグ１０の膨張量（即ちエアの給排気量）により制御可能である。図５（ｂ）に示すように左右両側のエアバッグ１０を大きく膨張させた場合には、ピンと張った可撓性シート９を介して使用者Ｐの身体（上半身）の一部を大きく反らせ、身体を伸ばすことができる。また、図５（ｃ）に示すように左右一方のエアバッグ１０だけを大きく膨張させ、可撓性シート９を左右に傾斜した姿勢でピンと張らせた場合には、この可撓性シート９を介して使用者Ｐの身体の一部を左右片側に反らせ、腰部を廻旋させて身体を捻るようにしてストレッチを施すことができる。
【００４０】
本例では、背もたれ部１の上下二箇所に人体支持部材８を成す可撓性シート９を固定し、上記したように、各可撓性シート９と背もたれ部１との間にアクチュエータ１１を成す左右一対のエアバッグ１０を配している。そして、この左右一対のエアバッグ１０に挟まれる箇所に開口部６を位置させ、該開口部６を通じて施療子３を突出自在に設けている。したがって、図５（ａ）のようにエアバッグ１０を収縮させて可撓性シート９をたるませてあるとき（即ち、該可撓性シート９によるストレッチを施さないとき）は、共にたるんだ状態にある施療子カバー７及び可撓性シート９を介して施療子３を使用者Ｐの身体に当て、各種マッサージを施すことが可能である。
【００４１】
座クッション部２のストレッチ手段も、基本的な原理は背もたれ部１のストレッチ手段と同様である。即ち、座クッション部２のストレッチ手段は、図６、図７等に示すように、可撓性の人体支持部材８を成す可撓性シート９と、座クッション部２の上面２ａの前後方向に伸びる中心軸Ｃ２から左右方向に隙間を隔てた各箇所に設置される膨縮自在な蛇腹状のエアバッグ１０とを用いて形成されている。
【００４２】
布地や成形品から成る可撓性シート９は、使用者Ｐが臀部を置くことになる中央部分を左右に跨ぐようにして座クッション部２の上面２ａ側に固定されるものであって、その左右両端を、座クッション部２の側部に縫合して固着させている。エアバッグ１０は、座クッション部２の上面２ａの左右両側部分において、可撓性シート９と座クッション部２との間に介在するように配置している。エアバッグ１０の底面は座クッション部２の上面２ａにスナップピン等で固定され、該エアバッグ１０の先端面は可撓性シート９の裏面に面ファスナ（図示せず）で固定されている。このエアバッグ１０は、給気により膨張して先端面を上方に突出させるとともに、膨張後の排気により収縮して先端面を下方に後退させるものである。
【００４３】
つまり、座クッション部２の上記エアバッグ１０は、膨張して先端面を上方に突出させることにより、該エアバッグ１０の先端面と対向して位置する可撓性シート９を上方に押し込みながら、この可撓性シート９に左右方向の張力を付与するアクチュエータ１１を成すものである。ここで左右方向の張力を付与されてピンと張る状態となった可撓性シート９によって、使用者Ｐの臀部をハンモック状に吊り上げて上方に押し込んでゆく仕組みである。
【００４４】
可撓性シート９によって使用者Ｐの臀部を上方に吊り上げる量は、左右両側のエアバッグ１０の膨張量（即ちエアの給排気量）により制御可能である。図７（ｂ）に示すように左右両側のエアバッグ１０を大きく膨張させた場合には、ピンと張った可撓性シート９を介して使用者Ｐの臀部周辺を大きく反らせることができる。また、図示はしていないが、左右一方のエアバッグ１０のみを大きく膨張させた場合には、可撓性シート９を左右に傾斜した姿勢でピンと張らせ、この可撓性シート９を介して使用者Ｐの臀部周辺を左右片側に反らせ、腰部を廻旋させて身体を捻るようにしてストレッチを施すことができる。
【００４５】
なお、座クッション部２の人体支持部材８を成す可撓性シート９は、その前端部を座クッション部２に縫合して移動不能に固定するとともに、後縁部については座クッション部２には固定せず自由端として設けることが好適である。これにより、エアバッグ１０を膨張させた際に可撓性シート９はその後部側が持ち上がるように動作し、使用者Ｐに対して効果的にストレッチを施すことが可能となる。
【００４６】
また、座クッション部２の人体支持部材８を成す上記可撓性シート９は、ウレタン等の硬質の発泡材を用いて形成することも好適である。これにより、使用者Ｐの臀部周辺を荷重に抗して吊り上げる際の当たり感を軽減し、ソフトなストレッチ感を提供することができる。特に、左右一方のエアバッグ１０のみを大きく膨張させた場合には両エアバッグ１０間に大きな段差が生じるが、硬質の発泡材から成る可撓性シート９はこの段差を埋めるように変形するので、捻りストレッチ中の使用者Ｐに違和感を与えることが防止される。
【００４７】
図８には、背もたれ部１と座クッション部２の各エアバッグ１０にエアを給排気する構成を示している。図示のように、座クッション部２に内蔵されるポンプ１２に各エアバッグ１０を連通接続させるとともに、各エアバッグ１０とポンプ１２との間に各エアバッグ１０専用の電磁弁１３を介在させている。ポンプ１２の駆動及び各電磁弁１３の開閉は椅子型ストレッチ機の制御部１４により適宜制御され、これにより各エアバッグ１０の膨縮が独立して制御される。
【００４８】
本例では、背もたれ部１の上下二箇所に配置してある可撓性シート９のうち上側が背用の可撓性シート９ａ、下側が腰用の可撓性シート９ｂとなっている。また、背用の可撓性シート９ａに当たる左右一対のエアバッグ１０が背エアバッグ１０ａ、この背エアバッグ１０ａに接続される電磁弁１３が背電磁弁１３ａ、腰用の可撓性シート９ｂに当たる左右一対のエアバッグ１０が腰エアバッグ１０ｂ、この腰エアバッグ１０ｂに接続される電磁弁１３が腰電磁弁１３ｂとなっている。更に、座クッション部２に配置してある可撓性シート９が座用の可撓性シート９ｃとなっており、この可撓性シート９ｃに当たる左右一対のエアバッグ１０が座エアバッグ１０ｃ、座エアバッグ１０ｃに接続される電磁弁１３が座電磁弁１３ｃとなっている。
【００４９】
使用者Ｐにストレッチを施すには、まず図２（ｂ）に示すように背もたれ部１を後方に大きく倒す。この状態で背、腰、座エアバッグ１０ａ，１０ｂ，１０ｃを膨張させ、背、腰、座用の各可撓性シート９ａ，９ｂ，９ｃに張力を与えて使用者Ｐの身体を吊り上げることで、例えば図３（ａ）に示すように上半身と下腿部とが１５０°程度の角度を成す程度にまで身体全体を伸ばす、いわゆる反らし動作を行うことができる。また、例えば図３（ｂ）に示すように腰エアバッグ１０ｂを大きく膨張させることで、上半身と下腿部とが１８０°程度若しくはそれ以上の角度を成す程度にまで身体を伸ばすことも可能である。
【００５０】
図４には、多様なストレッチ動作を示している。なお、この図においては背エアバッグ１０ａと背用の可撓性シート９ａは省略している。図４（ａ）には体幹軸中心捻り動作を示しており、背及び座用の可撓性シート９を同一方向に傾けることで、使用者Ｐの上半身と臀部を体幹軸中心に捻ってストレッチを施すようになっている。図４（ｂ）にはたすき掛け捻り動作を示しており、背及び座用の可撓性シート９を逆方向に傾けることで、使用者Ｐの上半身と臀部を逆方向に捻ってストレッチを施すようになっている。
【００５１】
以上、背もたれ部１及び座クッション部２にストレッチ手段について述べた。以下においては、背もたれ部１のストレッチ手段の各変形例について述べる。なお、各変形例の構成のうち、既述した構成と同様の構成については詳しい説明を省略し、特徴的な構成についてのみ詳述する。
【００５２】
図９には、背もたれ部１のストレッチ手段の第１変形例を示している。本変形例にあっては、人体支持部材８と、これに張力を付与するために配するアクチュエータ１１とを、背もたれ部１に対して着脱自在な背用のストレッチ用ユニット１５として、背もたれ部１とは別体に設けている。
【００５３】
本変形例の人体支持部材８は、背もたれ部１の前面１ａを略全面に亘って覆う寸法となるように布地や成形品等を用いて形成される可撓性の袋部材１９であり、アクチュエータ１１を成す左右一対の背エアバッグ１０ａと左右一対の腰エアバッグ１０ｂを上記袋部材１９内に配している。袋部材１９の上端縁部には、ファスナから成る着脱部１６を配しており、この着脱部１６を介して袋部材１９を背もたれ部１に装着している。袋部材１９の側部からは、背、腰エアバッグ１０ａ，１０ｂと連通する給気ホース１７を引き出しており、該給気ホース１７の先端を、背もたれ部１の側部に設けてある給気接続口１８に接続させることで、背、腰エアバッグ１０ａ，１０ｂとポンプ１２とを連通接続させている。なお、着脱部１６は袋部材１９の上端縁部以外に設けてあってもよいし、二以上の端縁部に設けてあってもよい。
【００５４】
したがって、人体支持部材８を成す上記袋部材１９を背もたれ部１の前面１ａに被せた状態において、背、腰エアバッグ１０ａ，１０ｂの膨張により袋部材１９に左右方向の張力を付与して一例と同様のストレッチを施すことができる。なお、図示はしていないが、着脱部１６を上下に近接した複数列で設けておき、装着に用いる着脱部１６の列を適宜選択すれば、ストレッチ用ユニット１５の上下位置を複数段階で変更することができる。ストレッチを施さない場合にはストレッチ用ユニット１５を取り外しておき、背もたれ部１の施療ブロック５を駆動させて施療子３によるマッサージを効果的に施すことができる。また、袋部材１９の上端縁部を背もたれ部１に固定させたまま、袋部材１９全体を裏側にめくるようにして背もたれ部１の前面１ａから外すことも可能である。
【００５５】
図１０には、背もたれ部１のストレッチ手段の第２変形例を示している。本変形例にあっては、人体支持部材８を成す可撓性シート９の左右両端部の内面に、面ファスナから成る着脱部２０を設けている。背もたれ部１の左右両側部には面ファスナから成る被着脱部２１を設けており、対応する面ファスナである着脱部２０と被着脱部２１が着脱自在に係合することで、可撓性シート９の左右両端部を背もたれ部１に固定させている。なお、本変形例においては、背もたれ部１の可撓性シート９として腰用の可撓性シート９ｂのみを配している。
【００５６】
したがって、人体支持部材８を成す腰用の可撓性シート９ｂを背もたれ部１に固定した状態において、腰エアバッグ１０ｂの膨張により腰用の可撓性シート９ｂに張力を付与して、一例と同様のストレッチを施すことができる。また、着脱部２０は被着脱部２１に対して前後及び上下方向の一定領域内で係合可能なので、係合位置を前後方向に変更することで可撓性シート９ｂの左右方向のたるみ具合を変更し、ストレッチの強度を調整することや、係合位置を上下方向に変更することで使用者Ｐの吊り上げ部位を調整することができる。
【００５７】
なお、可撓性シート９は左右両端部のうちで一方のみが背もたれ部１に着脱自在であってもよい。この場合であっても、着脱部２０の被着脱部２１に対する係合位置を前後方向に変更してストレッチの強度を調整することができる。
【００５８】
図１１には、背もたれ部１のストレッチ手段の第３変形例を示している。本変形例にあっては、一例のように人体支持部材８を成す可撓性シート９を特別に設けるのではなく、施療子３を突出させる開口部６を覆うために背もたれ部１に設けてある可撓性の施療子カバー７を、人体支持部材８として用いている。
【００５９】
具体的には、図１１（ｂ）に示すように、可撓性の施療子カバー７の左右両端部を背もたれ部１の側部に固定するとともに、該施療子カバー７によって背もたれ部１の前面１ａ中央の開口部６を覆うように設ける。そして、この背もたれ部１の前面１ａの開口部６を挟む左右両側部分と施療子カバー７との間に、左右一対のエアバッグ１０を配している。なお、本変形例においては、背もたれ部１のエアバッグ１０として腰エアバッグ１０ｂのみを配している。
【００６０】
したがって、腰エアバッグ１０ｂを膨張させて正面側に突出させることにより、施療子カバー７のうち左右の腰エアバッグ１０ｂに挟まれる上下範囲Ｓ１の部分に左右方向の張力を付与し、この張力によりピンと張った部分の施療子カバー７により使用者Ｐの身体を吊り上げて、一例と同様のストレッチを施すことができる。更に、エアバッグ１０ｂを収縮させて施療子カバー７をたるませてあるとき（即ち、ストレッチを施さないとき）には、たるんだ状態にある施療子カバー７を介して施療子３を使用者Ｐの身体に当て、各種マッサージを施すことができる。
【００６１】
本変形例において、施療子カバー７の正面側には、該施療子カバー７よりも肌触りのよい外側の施療子カバー７′を重ねて配してある。外側の施療子カバー７′は、少なくとも左右の腰エアバッグ１０ｂに挟まれる上下範囲Ｓ１においては内側の施療子カバー７よりも左右方向に十分なたるみ又は伸張量を有するものである。
【００６２】
このように、施療子カバー７，７′を複数枚（本変形例では二枚）重ねて備えるとともに、最も内側の施療子カバー７を他の施療子カバー７′よりも左右方向の伸張率又はたるみ量が大きなものとすることで、内側の施療子カバー７によってストレッチ時の張力を強く生じさせるとともに該施療子カバー７は使用者Ｐに接触しないようにし、外側の施療子カバー７′によって使用者Ｐに対する肌触りやデザイン性を確保することができる。また、外側の施療子カバー７′には張力により負荷をかけることがなくなる。更に、内側と外側の施療子カバー７，７′で色を違えておけば、外側の施療子カバー７′が破れた場合にはそのことを速やかに視認することができる。
【００６３】
本変形例においては、人体支持部材８を成す内側の施療子カバー７を、左右方向の伸張率が上下方向の伸張率よりも小さな材質のものを用いて形成している。したがって、ストレッチ時には、エアバッグ１０ｂの膨張によって施療子カバー７に左右方向の張力を効果的に生じさせることができる。加えて、エアバッグ１０ｂを収縮させて施療子３によるマッサージを施す時には、施療子カバー７を主として上下方向に伸張させながら施療子３を駆動し、施療子カバー７を介して効果的にマッサージを施すことができる。
【００６４】
なお、人体支持部材８を成す内側の施療子カバー７を、その左右方向のたるみ量が上下方向のたるみ量よりも小さくなるように背もたれ部１に縫合させることも好適である。これによっても、ストレッチ時には施療子カバー７に左右方向の張力を効果的に生じさせることができ、且つマッサージを施す時には、施療子カバー７の主として上下方向のたるみ量を利用して内側から施療子３を突出させて駆動し、効果的にマッサージを施すことができる。
【００６５】
或いは、人体支持部材８を成す施療子カバー７を、アクチュエータ１１を成す左右の腰エアバッグ１０ｂにより挟まれて左右方向の張力を付与される上下範囲Ｓ１の部分と、他の上下範囲Ｓ２の部分とで、左右方向の伸張率が相違するように設けることも好適である。このようにするために、伸張率が上下方向に沿って漸次変化する材質のものを用いて施療子カバー７を形成してもよいし、或いは異なる材質のものを上下に縫合させて施療子カバー７を形成してもよい。
【００６６】
これによって、例えばストレッチ効果を重視する腰周辺は施療子カバー７に張力が生じ易くし、マッサージ効果を重視する肩周辺は施療子カバー７を介して施療子３が突出し易くするといったように、使用者Ｐの部位毎にストレッチ効果とマッサージ効果のバランスを最適化することができる。
【００６７】
また、使用者Ｐの部位毎にストレッチ効果とマッサージ効果のバランスを最適化するために、図１２に示すように、左右の腰エアバッグ１０ｂにより挟まれて張力を付与される上下範囲Ｓ１の部分と、他の上下範囲Ｓ２の部分とで、左右方向のたるみ量が相違するように施療子カバー７を背もたれ部１に縫合することも好適である。これによっても、例えば腰周辺はストレッチ効果を重視し、肩周辺はマッサージ効果を重視するといったようなバランスの最適化が可能である。
【００６８】
図１３には、背もたれ部１のストレッチ手段の第４変形例を示している。本変形例は、アクチュエータ１１を成すエアバッグ１０を左右一対備えるのではなく、左右一方にのみ備えた構造によっても同様のストレッチ効果が得られるようにしたものである。
【００６９】
具体的には、背もたれ部１の左右両端部の一方（図示例では左端部）に、背もたれ部１の前面１ａよりも正面側に向けて突出する突起体２５を設けている。エアバッグ１０は、突起体２５を設けた側とは開口部６を挟んで左右方向逆側（右側）となる部分において、背もたれ部１の前面１ａに支持させている。そして、人体支持部材８を成す可撓性シート９の一端部（左端部）を突起体２５の先端部に固定し、エアバッグ１０を背もたれ部１との間に挟んだうえで、可撓性シート９の他端部（右端部）を背もたれ部１の側部に固定している。
【００７０】
したがって、エアバッグ１０が膨張して正面側に突出すると、図１３（ｂ）に示すように可撓性シート９は左右方向の張力を付与される。この張力によりピンと張った状態の可撓性シート９で使用者Ｐの身体の一部をハンモック状に吊り上げることで、ストレッチ効果を得ることができる。なお、エアバッグ１０が膨張した際の先端面の突出量は、突起体２５の正面側への突出量と同程度に設定しておく。
【００７１】
エアバッグ１０を収縮させて先端面を後退させた場合には、図１３（ａ）に示すように可撓性シート９はたるみを有する状態に戻る。このとき、可撓性シート９を介在させてある部分においても、開口部６から施療子３を突出させて効果的にマッサージを施すことができる。なお、本変形例と同様の構成は、第１〜第３変形例のストレッチ手段においても適用可能である。
【００７２】
図１４には、背もたれ部１のストレッチ手段の第５変形例を示している。本例においては、背もたれ部１の前面１ａにもたれかかった使用者Ｐの背中、腰等の所定部位を吊り上げてストレッチするストレッチ手段として、人体支持部材８を成す可撓性シート９と、背もたれ部１の前面１ａよりも正面側に向けて突出する左右両側の突起体３０と、両突起体３０の先端の両外側の後方から可撓性シート９を巻き取るドラム状の巻き取り器３１とを備えている。
【００７３】
巻き取り器３１は、背もたれ部１の左右両端部に設置してあり、可撓性シート９を左右両側に巻き取ることで該可撓性シート９に左右方向の張力を付与しつつ正面側に吊り上げ、また可撓性シート９を左右両側から巻き戻すことで該可撓性シート９にたるみを持たせるアクチュエータ１１となっている。
【００７４】
したがって、巻き取り器３１を駆動させて図１４（ｂ）に示すように可撓性シート９に張力を付与すると、この張力によりピンと張った状態の可撓性シート９により使用者Ｐは身体の一部をハンモック状に吊り上げられ、ストレッチ効果を得ることができる。このとき、左右両側から略同一速度で巻き取ることで、施療子カバー７を左右に擦らせることなく使用者Ｐを真っ直ぐに吊り上げることができる。そして、ここから巻き取り器３１を反転させて図１４（ａ）に示すように可撓性シート９をたるませた場合には、可撓性シート９が介在する部分においても、開口部６から施療子３を突出させて効果的にマッサージを施すことができる。
【００７５】
次に、座クッション部２のストレッチ手段の各変形例について述べる。なお、各変形例の構成のうち、既述した構成と同様の構成については詳しい説明を省略し、特徴的な構成についてのみ詳述する。
【００７６】
図１５には、座クッション部２のストレッチ手段の第１変形例を示している。本変形例は背もたれ部１のストレッチ手段の第１変形例と同様の構成であって、人体支持部材８と、これに張力を付与するために配するアクチュエータ１１とを、座クッション部２に対して着脱自在な座用のストレッチ用ユニット３５として、座クッション部２とは別体に備えている。なお、背もたれ部１のストレッチ手段の第１変形例と同様の構成には、同一符号を付してある。
【００７７】
本変形例の人体支持部材８は、座クッション部２の上面２ａを略全面に亘って覆う寸法となるように布地や成形品を用いて形成される可撓性の袋部材１９であり、アクチュエータ１１を成す左右一対の座エアバッグ１０ｃを上記袋部材１９内に配している。袋部材１９の前端縁部には、ファスナから成る着脱部１６を配しており、この着脱部１６を介して袋部材１９を背もたれ部１に装着している。袋部材１９の側部からは、座エアバッグ１０ｃと連通する給気ホース１７を引き出しており、該給気ホース１７の先端を、背もたれ部１の側部に設けてある給気接続口（図示せず）に接続させることで、座エアバッグ１０ｃとポンプ１２とを連通接続させている。
【００７８】
したがって、人体支持部材８を成す上記袋部材１９を座クッション部２の上面２ａに被せた状態において、座エアバッグ１０ｃの膨張により袋部材１９に左右方向の張力を付与して一例と同様のストレッチを施すことができる。なお、図示はしていないが、着脱部１６を前後に近接した複数列で設けておき、装着に用いる着脱部１６の列を適宜選択すれば、ストレッチ用ユニット３５の前後位置を複数段階で変更することができる。ストレッチを施さない場合にはストレッチ用ユニット３５を取り外しておけばよい。
【００７９】
図１６には、座クッション部２のストレッチ手段の第２変形例を示している。本変形例は背もたれ部１のストレッチ手段の第２変形例と同様の構成であって、人体支持部材８を成す座用の可撓性シート９ｃの左右両端部の内面に、面ファスナから成る着脱部２０を設けている。座クッション部２の左右両側部には面ファスナから成る被着脱部２１を設けており、対応する面ファスナである着脱部２０と被着脱部２１が着脱自在に係合することで、可撓性シート９の左右両端部を座クッション部２に固定させている。なお、背もたれ部１のストレッチ手段の第２変形例と同様の構成には、同一符号を付してある。
【００８０】
したがって、人体支持部材８を成す可撓性シート９ｃを座クッション部２に固定した状態において、座エアバッグ１０ｃの膨張により可撓性シート９ｃに張力を付与して、一例と同様のストレッチを施すことができる。また、着脱部２０は被着脱部２１に対して前後及び上下方向の所定領域内で係合可能なので、係合位置を上下方向に変更することで可撓性シート９ｃの左右方向のたるみ具合を変更してストレッチの強度を調整することや、係合位置を前後方向に変更して使用者Ｐの吊り上げ部位を調整することができる。
【００８１】
なお、可撓性シート９ｃは左右両端部のうちで一方のみが座クッション部２に着脱自在であってもよい。この場合であっても、着脱部２０の被着脱部２１に対する係合位置を上下方向に変更してストレッチの強度を調整することができる。
【００８２】
図１７には、座クッション部２のストレッチ手段の第３変形例を示している。本変形例は背もたれ部１のストレッチ手段の第４変形例と同様の構成であって、アクチュエータ１１を成す座エアバッグ１０ｃを左右一対備えるのではなく、左右一方にのみ備えた構造によっても同様のストレッチ効果が得られるようにしている。なお、背もたれ部１のストレッチ手段の第４変形例と同様の構成には、同一符号を付してある。
【００８３】
具体的には、座クッション部２の左右両端部の一方（図示例では左端部）に、座クッション部２の上面２ａよりも上方に突出する突起体２５を設けている。座エアバッグ１０ｃは、突起体２５を設けた側とは左右方向逆側（右側）の部分において、座クッション部２の上面２ａに支持させている。そして、人体支持部材８を成す座用の可撓性シート９ｃの一端部（左端部）を突起体２５の先端部に固定し、座エアバッグ１０ｃを座クッション部２との間に挟んだうえで、可撓性シート９の他端部（右端部）を座クッション部２の側部に固定している。
【００８４】
したがって、座エアバッグ１０ｃが膨張して上方に突出すると、図１７（ｂ）に示すように可撓性シート９ｃは左右方向の張力を付与される。この張力によりピンと張った状態の可撓性シート９ｃで使用者Ｐの身体の一部をハンモック状に吊り上げることで、ストレッチ効果を得ることができる。なお、座エアバッグ１０ｃが膨張した際の先端面の突出量は、突起体２５の先端部の上方への突出量と同程度に設定しておく。本変形例と同様の構成は、第１，第２変形例のストレッチ手段においても適用可能である。
【００８５】
図１８には、座クッション部２のストレッチ手段の第４変形例を示している。本変形例は背もたれ部１のストレッチ手段の第５変形例と同様の構成であって、座クッション部２の上面２ａに着座した使用者の所定部位を吊り上げてストレッチするストレッチ手段として、人体支持部材８を成す座用の可撓性シート９ｃと、座クッション部２の上面２ａよりも上方に突出する左右両側の突起体３０と、両突起体３０の先端の両外側の下方から可撓性シート９ｃを巻き取るドラム状の巻き取り器３１とを備えている。なお、背もたれ部１のストレッチ手段の第５変形例と同様の構成には、同一符号を付してある。
【００８６】
巻き取り器３１は、座クッション部２の左右両端部に設置してあり、可撓性シート９を左右両側に巻き取ることで該可撓性シート９に左右方向の張力を付与しつつ上方に吊り上げ、また可撓性シート９を左右両側から巻き戻すことで該可撓性シート９にたるみを持たせるアクチュエータ１１となっている。
【００８７】
したがって、巻き取り器３１を駆動させて図１８（ｂ）に示すように可撓性シート９ｃに張力を付与すると、この張力によりピンと張った状態の可撓性シート９ｃにより使用者Ｐは臀部をハンモック状に吊り上げられ、ストレッチ効果を得ることができる。このとき、左右両側から略同一速度で巻き取ることで、施療子カバー７を左右に擦らせることなく使用者Ｐの臀部を真っ直ぐ上方に吊り上げることができる。
【００８８】
次に、エアバッグ１０を用いたアクチュエータ１１の変形例について述べる。以下においては背もたれ部１側のアクチュエータ１１について述べるが、座クッション部２側のアクチュエータ１１についても同様の構成は適用可能である。なお、各変形例の構成のうち、既述した構成と同様の構成については詳しい説明を省略し、特徴的な構成についてのみ詳述する。
【００８９】
図１９（ａ）に示す変形例においては、背もたれ部１の前面１ａに底面を固定される蛇腹状のエアバッグ１０の先端面に、板状の硬質部材４０を固定している。この硬質部材４０の前面には人体支持部材８を成す可撓性シート９を固定しており、更に硬質部材４０の上下両端をそれぞれ板状の硬質支持部材４１，４２の一端部と回動自在に連結させている。下側の硬質支持部材４１の他端部は背もたれ部１の前面１ａに回動自在に連結させており、上側の硬質支持部材４２の他端部は、背もたれ部１の前面１ａに上下スライド自在に配してある直動スライド部材４３に回動自在に連結させている。
【００９０】
エアバッグ１０にエアが供給されて膨張すると、両側の硬質支持部材４１，４２は直動スライド部材４３を下方にスライドさせながら先端部を正面に突出させていくように回動し、可撓性シート９を正面側に押し込んで張力を付与していく。このとき、硬質支持部材４１，４２が背もたれ部１の前面１ａに対して起立する姿勢に近づくほど、使用者Ｐからエアバッグ１０が受ける外力のうち硬質支持部材４１，４２で支える分力の割合が大きくなる。即ち、エアバッグ１０で受ける分力は低減されるので、小さな駆動力で使用者Ｐを吊り上げることが可能となる。
【００９１】
図１９（ｂ）に示す別の変形例においては、背もたれ部１の前面１ａに板状の硬質支持部材４４の一端部を回動自在に連結させるとともに、この硬質支持部材４４の他端側の部分に可撓性シート９を固定させている。そして、背もたれ部１の前面１ａに底面を固定される蛇腹状のエアバッグ１０の先端面を、硬質支持部材４４の背もたれ部１に連結させる部分と可撓性シート９を固定させる部分との間の部分に固定している。
【００９２】
エアバッグ１０にエアが供給されて膨張すると、硬質支持部材４４は他端側を正面に突出させていくように回動し、可撓性シート９を正面側に押し込んで張力を付与していく。このとき、硬質支持部材４４を介した梃子の原理により、エアバッグ１０の突出量以上の大きなストロークで可撓性シート９を吊り上げて張力を付与することが可能となる。
【図面の簡単な説明】
【００９３】
【図１】本発明の実施形態における一例の椅子型ストレッチ機を示しており、（ａ）は全体斜視図、（ｂ）は施療子カバーやストレッチ手段を外した状態の斜視図である。
【図２】同上の椅子型ストレッチ機の使用状態の側面図であり、（ａ）は背もたれ部を起立させた状態、（ｂ）は背もたれ部を倒した状態である。
【図３】同上の椅子型ストレッチ機による全身ストレッチを示す側面図であり、（ａ）は１５０°程度まで全身を伸ばした状態、（ｂ）は１８０°程度まで全身を伸ばした状態である。
【図４】同上の椅子型ストレッチ機による多様なストレッチ動作を示す斜視図であり、（ａ）は体感軸中心捻り動作、（ｂ）たすき掛け捻り動作を示している。
【図５】同上の椅子型ストレッチ機の動作説明図であり、（ａ）はエアバッグを共に収縮させた状態、（ｂ）は両方のエアバッグを膨張させた状態、（ｃ）は一方のエアバッグを膨張させた状態である。
【図６】同上の椅子型ストレッチ機の、座ストレッチ部のストレッチ手段を示す正面図である。
【図７】同上のストレッチ手段の動作説明図であり、（ａ）はエアバッグを共に収縮させた状態、（ｂ）は両方のエアバッグを膨張させた状態である。
【図８】同上の椅子型ストレッチ機の機能ブロック図である。
【図９】同上の椅子型ストレッチ機の背もたれ部のストレッチ手段の第１変形例を示す斜視図であり、（ａ）は椅子型ストレッチ機全体、（ｂ）はストレッチ用ユニットを示している。
【図１０】同上の第２変形例を示す背もたれ部の斜視図である。
【図１１】同上の第３変形例を示し、（ａ）は椅子型ストレッチ機の全体斜視図、（ｂ）は背もたれ部の腰部断面図である。
【図１２】同上の第３変形例の更に変形例を示す背もたれ部の斜視図である。
【図１３】同上の第４変形例の動作説明図であり、（ａ）はエアバッグを収縮させた状態、（ｂ）はエアバッグを膨張させた状態である。
【図１４】同上の第４変形例の動作説明図であり、（ａ）は人体支持部材をたるませた状態、（ｂ）は人体支持部材に張力を付与した状態である。
【図１５】同上の椅子型ストレッチ機の座クッション部のストレッチ手段の第１変形例を示す正面図である。
【図１６】同上の第２変形例の説明図である。
【図１７】同上の第３変形例の動作説明図であり、（ａ）はエアバッグを収縮させた状態、（ｂ）はエアバッグを膨張させた状態である。
【図１８】同上の第４変形例の動作説明図であり、（ａ）は人体支持部材をたるませた状態、（ｂ）は人体支持部材に張力を付与した状態である。
【図１９】同上の椅子型ストレッチ機に備えるアクチュエータの変形例を示す側面図であり、（ａ）は第１変形例、（ｂ）は第２変形例である。
【符号の説明】
【００９４】
１  背もたれ部
２  座クッション部
３  施療子
６  開口部
７  施療子カバー
７′  施療子カバー
８  人体支持部材
９  可撓性シート
１０  エアバッグ
１１  アクチュエータ
１５  ストレッチ用ユニット
２５  突起体
Ｃ１  中心軸
Ｐ  使用者
【図１】
0005016434.tif 000002
【図２】
0005016434.tif 000003
【図３】
0005016434.tif 000004
【図４】
0005016434.tif 000005
【図５】
0005016434.tif 000006
【図６】
0005016434.tif 000007
【図７】
0005016434.tif 000008
【図８】
0005016434.tif 000009
【図９】
0005016434.tif 000010
【図１０】
0005016434.tif 000011
【図１１】
0005016434.tif 000012
【図１２】
0005016434.tif 000013
【図１３】
0005016434.tif 000014
【図１４】
0005016434.tif 000015
【図１５】
0005016434.tif 000016
【図１６】
0005016434.tif 000017
【図１７】
0005016434.tif 000018
【図１８】
0005016434.tif 000019
【図１９】
0005016434.tif 000020